(57)【要約】【課題】フィン上をスライドする際に操作ノブの操作荷重を長期に渡って安定させることができ、操作ノブの操作性を良好に保持できるレジスタを提供する。【解決手段】操作ノブ１３が横フィン５に挿嵌された状態でスライド可能に取り付けられたレジスタであって、操作ノブ１３の内部に設けられたサポート部材１８と、サポート部材１８に回動自在に取り付けられたローラー２０、２０と、ローラー２０、２０の外周面を横フィン５の前側端縁部３６に押し付ける板バネ１９を備える。【選択図】図７
2016210337.tif 000002
【特許請求の範囲】
【請求項１】
リテーナにて、一体的に回動可能に支持された複数個の縦フィンと、
前記リテーナにおける各縦フィンの前方で、一体的に回動可能に支持された複数個の横フィンと、
前記横フィンの１つにスライド可能に挿嵌されるとともに、前記縦フィンの１つに駆動連結された操作ノブとを備え、
前記操作ノブを横フィンに沿ってスライドさせることにより前記各縦フィンを一体的に回動させ、リテーナから吹出される空気の吹出方向を変化させるレジスタにおいて、
前記操作ノブの内部に設けられたサポート部材と、
前記サポート部材に回動自在に取り付けられたローラーと、
前記サポート部材を横フィンの端縁部に向かって付勢するとともに前記ローラーの外周面を横フィンの端縁部に当接させる弾性体を備えたことを特徴とするレジスタ。
【請求項２】
請求項１に記載するレジスタであって、
前記端縁部の反対側で横フィンに設けられた案内溝と、
前記操作ノブに設けられ、前記横フィンの案内溝に係入する突起部を備えたことを特徴とするレジスタ。
【請求項３】
請求項２に記載するレジスタであって、
前記横フィンの端縁部と前記ローラーの外周面との間に凹凸関係が存在していることを特徴とするレジスタ。
【発明の詳細な説明】
【技術分野】
【０００１】
本発明は、車両室内への配風に使用されるレジスタに関するものである。
【背景技術】
【０００２】
従来より、この種のレジスタとして、下記特許文献１に記載されたレジスタがある。そのレジスタは、前可動ルーバのフィンに操作ノブが摺動可能に外嵌され、該操作ノブにより風向を調整するレジスタにおいて、該操作ノブの主要部を構成するノブ本体より摺動性に優れた摺接部材が該操作ノブ内に配設され、該摺接部材は該フィンに接触して組み付けられ、該摺接部材を介して該操作ノブを該フィン上で摺動させることを特徴とする。
【０００３】
上記操作ノブ内には、上記フィンの前縁部または後縁部に接触して操作荷重を付与するゴム状弾性体を配置することができる。
【０００４】
上記構成のレジスタは、操作ノブを前可動ルーバのフィン上で摺動操作すると、操作ノブがフィン上で摺動し、ノブ歯車部、扇形歯車などの往復動伝達部を介して後方の後可動ルーバのフィンに連係し、これによって後可動ルーバの各フィンが回動し、その向きを変え、通風路内の空気流の向きが操作ノブの摺動操作幅に応じて調整される。
【０００５】
操作ノブは、フィン上での摺動操作時、摺動性に優れた摺接部材を介してフィン上を摺動するため、例えばフィンがＰＢＴーＧなどのガラス繊維入り硬質合成樹脂で成形され、操作ノブのノブ本体がＡＢＳ樹脂などの硬質合成樹脂で成形される場合であっても、少なくともノブ本体とフィンよりも摺動性に優れた摺接部材がフィンに摺接して摺動するため、従来のように、ノブ本体とフィンの摺接部で、その摩擦抵抗から削り粉が生じることはなく、外観の悪化や摺動不良の発生を防止することができる。
【０００６】
操作ノブの操作性は、ゴム状弾性体とフィンの前縁部または後縁部間の摩擦抵抗により、適度な操作荷重が発生し、良好な操作荷重、つまり優れたフィーリングで、操作ノブを左右に動かして風向を調整することができる。
【先行技術文献】
【特許文献】
【０００７】
【特許文献１】特開２００９−１１３６３２号公報
【発明の概要】
【発明が解決しようとする課題】
【０００８】
しかしながら、使用期間が長くなると、操作ノブや摺接部材が変形したり、ゴム状弾性体が摩耗することから、操作荷重のバラツキや操作時のガタが発生することがあった。
【０００９】
特に、自動的にフィンを揺動させる自動風向調整機構を備えたレジスタであって、モータの駆動により、後フィンの向きを連続して揺動させ、操作ノブが前フィン上を往復摺動を繰り返すように動作する場合、操作ノブが前フィン上を常に摺動しており、操作ノブや摺接部材の変形又はゴム状弾性体の摩耗の度合いが大きくなることから、操作ノブが動かなくなってしまう虞があった。
【００１０】
そこで、本発明は、上述した点を鑑みてなされたものであり、フィン上をスライドする際に操作ノブの操作荷重を長期に渡って安定させることができ、操作ノブの操作性を良好に保持できるレジスタを提供することを課題とする。
【課題を解決するための手段】
【００１１】
この課題を解決するためになされた請求項１に係るレジスタは、リテーナにて、一体的に回動可能に支持された複数個の縦フィンと、前記リテーナにおける各縦フィンの前方で、一体的に回動可能に支持された複数個の横フィンと、前記横フィンの１つにスライド可能に挿嵌されるとともに、前記縦フィンの１つに駆動連結された操作ノブとを備え、前記操作ノブを横フィンに沿ってスライドさせることにより前記各縦フィンを一体的に回動させ、リテーナから吹出される空気の吹出方向を変化させるレジスタにおいて、前記操作ノブの内部に設けられたサポート部材と、前記サポート部材に回動自在に取り付けられたローラーと、前記サポート部材を横フィンの端縁部に向かって付勢するとともに前記ローラーの外周面を横フィンの端縁部に当接させる弾性体を備えたことを特徴とする。
【００１２】
請求項２に係るレジスタは、請求項１に記載するレジスタであって、請求項１に記載するレジスタであって、前記端縁部の反対側で横フィンに設けられた案内溝と、前記操作ノブに設けられ、前記横フィンの案内溝に係入する突起部を備えたことを特徴とする。
【００１３】
請求項３に係るレジスタは、請求項２に記載するレジスタであって、前記横フィンの端縁部と前記ローラーの外周面との間に凹凸関係が存在していることを特徴とする。
【発明の効果】
【００１４】
請求項１に係るレジスタでは、操作ノブの内部に設けられたサポート部材と、サポート部材に回動自在に取り付けられたローラーと、サポート部材を横フィンの端縁部に向かって付勢するとともにローラーの外周面を横フィンの端縁部に当接させる弾性体を備えているので、操作ノブの操作荷重は、ローラーの外周面を横フィンの端縁部に向かって付勢してローラーの外周面を横フィンの端縁部に当接させる弾性体により付与され、また、操作ノブの操作時にローラーが回転することに基づき、ローラーの外周面と横フィンの端縁部との間で摩擦力は殆ど発生しない。これにより、横フィン上をスライドする際における操作ノブの操作荷重を長期に渡って安定させることができ、この結果、操作ノブの操作性を長期に渡って良好に保持できる。
【００１５】
特に、弾性体によってローラーの外周面は常時横フィンの端縁部に当接されていることから、操作ノブの操作荷重のバラツキや操作時のガタツキが防止され得る。
【００１６】
請求項２に係るレジスタでは、横フィンの端縁部の反対側で横フィンに設けられた案内溝と、操作ノブに設けられ、横フィンの案内溝に係入する突起部を備えているので、案内溝と突起部との協働により、操作ノブは、横フィンにおける端縁部の反対側で操作ノブの厚さ方向及び奥行方向において位置決めされる。これにより、操作ノブが横フィンの端縁部と反対側で厚さ方向及び奥行方向への移動を防止されることから、操作ノブの操作性を良好に保持することができる。
【００１７】
請求項３に係るレジスタでは、横フィンの端縁部とローラーの外周面との間に凹凸関係が存在しているので、更に横フィンの端縁部側においても操作ノブは、その厚さ方向に位置決めされる。これにより、操作ノブが横フィンの端縁部側で厚さ方向への移動を防止されることから、操作ノブの操作性を更に良好に保持することができる。
【図面の簡単な説明】
【００１８】
【図１】本実施形態に係るレジスタの正面斜視図である。
【図２】同レジスタの正面図である。
【図３】同レジスタの底面図である。
【図４】同レジスタの背面図である。
【図５】操作ノブが横フィンに取り付けられた状態を表す正面斜視図である。
【図６】操作ノブが横フィンに取り付けられた状態を表す正面図である。
【図７】横フィンと操作ノブとの関係を表す正面分解斜視図である。
【図８】上側ノブ部材の底面斜視図である。
【図９】（ａ）はサポート部材の正面斜視図であり、（ｂ）はサポート部材の底面斜視図であり、（ｃ）はサポート部材の側面図である。
【図１０】（ａ）は板バネ及びローラーが取り付けられたサポート部材の正面斜視図であり、（ｂ）は板バネ及びローラーが取り付けられたサポート部材の底面斜視図であり、（ｃ）は板バネ及びローラーが取り付けられたサポート部材の側面図である。
【図１１】横フィンに取り付けられた上側ノブ部材を正面側から見た底面斜視図である。
【図１２】横フィンに取り付けられた上側ノブ部材を背面側から見た底面斜視図である。
【図１３】（ａ）は横フィンに取り付けられた上側ノブ部材の底面図であり、（ｂ）は（ａ）の正面図であり、（ｃ）は（ｂ）の側面図である。
【図１４】縦フィンがニュートラルにある状態で図２の線Ａ−Ａで切断された同レジスタの断面図である。
【図１５】操作ノブが操作されて縦フィンが右方向に回転された状態で図２の線Ａ−Ａで切断された同レジスタの断面図である。
【図１６】図６の線Ｂ−Ｂで切断された操作ノブ及び横フィンの一部を表す模式断面図である。
【図１７】同レジスタの第１変更例を表した図１６に相当する模式断面図である。
【図１８】同レジスタの第２変更例を表した図１６に相当する模式断面図である。
【図１９】同レジスタの第３変更例を表した図１６に相当する模式断面図である。
【発明を実施するための形態】
【００１９】
本発明に係るレジスタについて、本発明を具体化した実施形態に基づき、図面を参照しつつ詳細に説明する。先ず、図１乃至図４に基づき、本実施形態に係るレジスタ１の基本構成について説明する。
【００２０】
図１又は図２に表されたように、本実施形態に係るレジスタ１は、断面が略長方形状に形成された筒状の通風部２を有するリテーナ３を備えている。リテーナ３において通風部２を画成し、左右方向で相互に対向する一対の側壁４、４の間で、５つの横フィン５が一定の間隔で回動可能に配設されている。各横フィン５は、通風部２から外部に向かって吹き出される風の風向を上下方向に調節するのに使用される。
【００２１】
各横フィン５の両端面には、回動軸６が突設されている。各回動軸６は、一対の側壁４、４の軸受孔に挿通され、回動可能に支持されている。右側の各回動軸６には、クランク部７が設けられている。右側の各回動軸６は、クランク部７を介してリンクバー８で相互に連結されている。クランク部７及びリンクバー８は、リテーナ３の横側外部に配置されている。このようなリンク機構により、各横フィン５は一体に上下方向に回動される。
【００２２】
リテーナ３の内部にて、各横フィン５の背後には、５本の縦フィン９が一定の間隔で回動可能に配設されている。各縦フィン９は、通風部２から外部に向かって吹き出される風の風向を左右方向に調節するのに使用される。
【００２３】
各縦フィン９の上下両端面には、回動軸１０が突設されている（図４参照）。各回動軸１０は、リテーナ３の軸受孔に挿通され、回動可能に支持されている。下側の各回動軸１０には、図３及び図４に表されたように、クランク部１１が設けられている。下側の各回動軸１０は、クランク部１１を介してリンクバー１２で連結されている。クランク部１１及びリンクバー１２は、リテーナ３の底側外部に配置されている。このようなリンク機構により、各縦フィン９は一体に左右方向に回動される。
【００２４】
図１、図２又は図４に表されたように、５つの横フィン５の内、上下方向の中央に位置する横フィン５の略中央部には、横フィン５に対してスライド可能に取り付けられる操作ノブ１３が設けられている。操作ノブ１３が上下方向に操作されると、各横フィン５のリンク機構を介して、各横フィン５が一体に上下方向に回動される。
【００２５】
５つの縦フィン９の内、左右方向の中央に位置する縦フィン９には、横フィン５側にて、扇形歯車１４が突設されている（下記図１４及び図１５参照）。一方、扇形歯車１４と対向する横フィン５に取り付けられる操作ノブ１３には、縦フィン９側にて、扇形歯車１４と噛み合うようにノブ歯車部１５が設けられている。従って、操作ノブ１３が左右方向に操作されると、ノブ歯車部１５と扇形歯車１４を介し、縦フィン９に対して左右方向の回動力が伝達されるので、各縦フィン９のリンク機構を介して、各縦フィン９が一体に左右方向に回動される。
【００２６】
次に、操作ノブ１３について説明する。図５及び図６に表されたように、操作ノブ１３は、上側ノブ部材１６と下側ノブ部材１７とから構成されており、上側ノブ部材１６の下部と下側ノブ部材１７の上部との間に形成される挿通凹部には、操作ノブ１３がスライド可能となるように横フィン５が挿通されている。
【００２７】
操作ノブ１３の挿通凹部に挿通される横フィン５は、上述したように、５本の横フィン５の内、上下方向の中央に位置するものである。下側ノブ部材１７には、ノブ歯車部１５が設けられている。
【００２８】
操作ノブ１３では、図７に表されたように、上側ノブ部材１６と下側ノブ部材１７の間に、上記横フィン５が配設され、サポート部材１８、板バネ１９、及び一対のローラー２０、２０が内設されている。サポート部材１８は、ポリアセタール製であり、板バネ１９及び一対のローラー２０、２０が取り付けられている。板バネ１９には、一対の取付孔２１、２１が設けられている。一対のローラー２０、２０は、ナイロン製であり、軸孔２２、２２がそれぞれ設けられている。
【００２９】
下側ノブ部材１７には、一対の係止爪２３、２３及び一対の係止孔２４、２４が設けられている。各係止孔２４、２４の間には、一対の軸止片２５、２５が突設されている。図８に表されたように、上側ノブ部材１６には、一対の係止爪２６、２６及び一対の係止孔２７、２７が設けられている。下側ノブ部材１７の各係止爪２３、２３が上側ノブ部材１６の各係止孔２７、２７に係止され、上側ノブ部材１６の各係止爪２６、２６が下側ノブ部材１７の各係止孔２４、２４に係止されることにより、上側ノブ部材１６と下側ノブ部材１７が係着されている。
【００３０】
上側ノブ部材１６の内側中央には、相互に対向する一対の内壁２８、２８が突設されている。一対の内壁２８、２８の間には、サポート部材１８を収納するためのサポート部材収容部２９が設けられている。上側ノブ部材１６では、各係止爪２６、２６の近傍に、一対の係入爪３０、３０が内側に向かって設けられている。
【００３１】
次に、サポート部材１８について説明する。図９（ａ）、（ｂ）、（ｃ）に表されたように、サポート部材１８では、側面視Ｌ字型の本体３１の前面に取付溝３２が設けられ、取付溝３２の中央に一対の突出部３３、３３が設けられている。本体３１には、一対の回動軸３４、３４が下側（図９（ｂ）では上側）に向かって設けられている。
【００３２】
図１０（ａ）、（ｂ）、（ｃ）に表されたように、サポート部材１８では、本体３１の取付溝３２に板バネ１９が取り付けられ、取付溝３２内の各突出部３３、３３に板バネ１９の各取付孔２１、２１が嵌め込まれることにより、本体３１に対して板バネ１９が固定される。本体３１の各回動軸３４、３４には、各ローラー２０、２０の軸孔２２、２２が嵌め込まれる。各ローラー２０、２０の外周面３５には、後述する溝が設けられている。
【００３３】
次に、横フィン５に取り付けられる上側ノブ部材１６について、図１１乃至図１３に基づき説明する。
【００３４】
図１１乃至図１３に表されたように、上側ノブ部材１６では、一対の内壁２８、２８の間に設けられたサポート部材収容部２９にサポート部材１８が収納されている。サポート部材収容部２９にサポート部材１８が収納されると、上側ノブ部材１６とサポート部材１８の間に板バネ１９が挟さまれた状態になる。
【００３５】
サポート部材１８に取り付けられた各ローラー２０、２０の外周面３５には、横フィン５の前側端縁部３６がスライド可能に嵌り込んでいる。横フィン５の後側端縁部３７の中央両側にて長手方向に分離して設けられた一対の案内溝３８、３８には、上側ノブ部材１６の各係入爪３０、３０がスライド可能に嵌り込んでいる。
【００３６】
上側ノブ部材１６とサポート部材１８の間に挟まれた状態にある板バネ１９によって、サポート部材１８に取り付けられた各ローラー２０、２０の外周面３５が横フィン５の前側端縁部３６に押し付けられるとともに、横フィン５の後側端縁部３７に設けられた各案内溝３８、３８が上側ノブ部材１６の各係入爪３０、３０に押し付けられる。
【００３７】
次に、操作ノブ１３による縦フィン９の操作について、図１４乃至図１６に基づき説明する。図１４に表されたように、縦フィン９がニュートラルにあるときは、操作ノブ１３は横フィン５の中央に位置する。ここで、図１５に表されたように、操作ノブ１３が横フィン５の右方向に操作されると、操作ノブ１３のノブ歯車部１５が右方向に移動することにより、操作ノブ１３のノブ歯車部１５と噛み合った縦フィン９の扇形歯車１４が反時計回りに回転し、５つの縦フィン９が一体に右方向に回転する。これに対して、図示はしないが、操作ノブ１３が横フィン５の左方向に操作されると、操作ノブ１３のノブ歯車部１５が左方向に移動することにより、操作ノブ１３のノブ歯車部１５と噛み合った縦フィン９の扇形歯車１４が時計回りに回転し、５つの縦フィン９が一体に左方向に回転する。
【００３８】
操作ノブ１３では、図１６に表されたように、各ローラー２０の外周面３５にて、横フィン５の凸状の前側端縁部３６が嵌り込む凹状の溝３９を設けている。各ローラー２０の溝３９は、上側ノブ部材１６とサポート部材１８の間に挟まれた板バネ１９によって、横フィン５の凸状の前側端縁部３６に押し付けられる。
【００３９】
操作ノブ１３では、上側ノブ部材１６と下側ノブ部材１７が係着されると、サポート部材１８の回動軸３４が下側ノブ部材１７の軸止片２５に当接することにより、サポート部材１８の回動軸３４に軸孔２２が嵌め込まれた各ローラー２０が回動可能に支持される。
【００４０】
操作ノブ１３が横フィン５の左右方向に操作される際は、図１４乃至図１６に表されたように、横フィン５の前側端縁部３６に押し付けられた操作ノブ１３の各ローラー２０、２０が回転し、横フィン５の後側端縁部３７に設けられた各案内溝３８、３８に係入された操作ノブ１３の各係入爪３０、３０が各案内溝３８、３８に案内されることにより、操作ノブ１３が横フィン５上をスライドする。
【００４１】
すなわち、本実施の形態に係るレジスタ１では、操作ノブ１３内のサポート部材１８に一対のローラー２０、２０が回動自在に取り付けられており、操作ノブ１３が操作され、操作ノブ１３に挿通される横フィン５上で操作ノブ１３をスライドさせると、横フィン５の前側端縁部３６に板バネ１９で押し付けられた外周面３５を有する各ローラー２０、２０が回転する。
【００４２】
従って、操作ノブ１３の操作荷重は、各ローラー２０、２０の外周面３５を横フィン５の前側端縁部３６に押し付ける板バネ１９のテンションによって付与される。操作ノブ１３の操作時には、各ローラー２０、２０が回転するので、各ローラー２０、２０の外周面３５と横フィン５の前側端縁部３６との間で摩擦力は殆ど発生しない。これにより、横フィン５上をスライドする際における操作ノブ１３の操作荷重を長期に渡って安定させることができ、この結果、操作ノブ１３の操作性を長期に渡って良好に保持できる。
【００４３】
特に、板バネ１９によって各ローラー２０、２０の外周面３５は常時横フィン５の前側端縁部３６に当接されていることから、操作ノブ１３の操作荷重のバラツキや操作時のガタツキが防止され得る。
【００４４】
そのため、操作ノブ１３の操作耐久性が向上するので、各ローラー２０、２０、横フィン５及びサポート部材１８等の各部品について、操作ノブ１３の操作時の摩耗低減を図ることができる。
【００４５】
本実施の形態に係るレジスタ１では、回転する各ローラー２０、２０が従来技術で使用されるシリコンオイルの役割を果たし、シリコンオイルを使用しないので、オイル漏れが発生しない。
【００４６】
操作ノブ１３の操作時には、各ローラー２０、２０が回転するので、板バネ１９のテンションによって付与される操作ノブ１３の操作荷重を、操作時のガタつきが殆ど発生しない低荷重にすることが可能である。
【００４７】
本実施の形態に係るレジスタ１では、横フィン５の前側端縁部３６の反対側で横フィン５に設けられた案内溝３８と、操作ノブ１３に設けられ、横フィン５の案内溝３８に係入する係入爪３０、３０を備えているので、案内溝３８と係止爪３０、３０との協働により、操作ノブ１３は、横フィン５における前側端縁部３６の反対側で操作ノブ１３の厚さ方向（上下方向）及び奥行方向において位置決めされる。これにより、操作ノブ１３が横フィン５の前側端縁部３６と反対側で厚さ方向及び奥行方向への移動を防止されることから、操作ノブ１３の操作性を良好に保持することができる。
【００４８】
また、横フィン５の前側端縁部３６と各ローラー２０、２０の外周面３５との間に凹凸関係が存在しているので、更に横フィン５の前側端縁部３６側においても操作ノブ１３は、その厚さ方向（上下方向）に位置決めされる。これにより、操作ノブ１３が横フィン５の前側端縁部３６側で厚さ方向への移動を防止されることから、操作ノブ１３の操作性を更に良好に保持することができる。
【００４９】
尚、本発明は上記本実施形態に限定されるものでなく、その趣旨を逸脱しない範囲で様々な変更が可能である。
例えば、本実施の形態に係るレジスタ１では、横フィン５を上下方向に回動させ縦フィン９を左右方向に回動させることを、操作ノブ１３のマニュアル操作によって行っているが、自動風向調整機構によって横フィン５や縦フィン９を自動的に回動させてもよい。
【００５０】
本実施の形態に係るレジスタ１を、図１７の第１変更例、図１８の第２変更例又は図１９の第３変更例のようにしてもよい。
【００５１】
尚、以下の説明では、上記本実施形態と実質的に共通する部分には同一の符号を付し、詳しい説明を省略する。
図１７に表されたように、第１変更例では、横フィン５の前側端縁部４０が凹状の形状を有している。操作ノブ１３では、ローラー２０の外周面３５にて、横フィン５の凹状の前側端縁部４０が嵌り込む凸状の溝４１を設けている。つまり、第１変更例は、上記本実施形態と比較すると、上記凹凸関係が逆である。
【００５２】
また、図１８に表されたように、第２変更例の操作ノブ１３では、ローラー２０に設けられた一対の回動軸４２、４２がサポート部材４３に挟持されている。上側ノブ部材１６に嵌め込まれた嵌合部材４４によって、シャフト棒状ピン４５がローラー２０の外周面３５に設けられた溝３９に押し付けられている。これにより、ローラー２０の回動軸４２、４２がサポート部材４３の段差部４６に押し付けられ、ローラー２０が回動可能に支持される。
【００５３】
更に、図１９に表されたように、第３変更例では、横フィン５の前側端縁部４７が凹状の形状を有している。操作ノブ１３では、ローラー２０の外周面３５にて、横フィン５の凹状の前側端縁部４７が嵌り込む凸状の溝４８を設けている。つまり、第３変更例は、上記第２変更例と比較すると、上記凹凸関係が逆である。
【符号の説明】
【００５４】
１  レジスタ
３  リテーナ
５  横フィン
９  縦フィン
１３  操作ノブ
１８  サポート部材
１９  板バネ
２０  ローラー
３０  操作ノブの係入爪
３５  ローラーの外周面
３６  横フィンの前側端縁部
３８  横フィンの案内溝
【図１】
2016210337.tif 000003
【図２】
2016210337.tif 000004
【図３】
2016210337.tif 000005
【図４】
2016210337.tif 000006
【図５】
2016210337.tif 000007
【図６】
2016210337.tif 000008
【図７】
2016210337.tif 000009
【図８】
2016210337.tif 000010
【図９】
2016210337.tif 000011
【図１０】
2016210337.tif 000012
【図１１】
2016210337.tif 000013
【図１２】
2016210337.tif 000014
【図１３】
2016210337.tif 000015
【図１４】
2016210337.tif 000016
【図１５】
2016210337.tif 000017
【図１６】
2016210337.tif 000018
【図１７】
2016210337.tif 000019
【図１８】
2016210337.tif 000020
【図１９】
2016210337.tif 000021